(57)【要約】少なくとも１つの酸素チャンバを含んでいるボトルであって、ユーザは、ユーザの顔にフィットするように輪郭が付けられているフェースマスクに、彼らの口および鼻を装着することによって、純粋な酸素を吸引することが可能である。同様に、上記ボトルはまた、ユーザが清潔かつ純粋な水を飲むことができるように、水を保持する。より多くの酸素がチャンバに格納され、ユーザが彼または彼女の肺に酸素を取り込むことの助けとするために、酸素が加圧される。本発明は、ユーザが、安全かつ便利な方法で、水を飲み、純粋な酸素を吸引することを可能にする。
2008529587.tif 000002
【特許請求の範囲】
【請求項１】
液体格納ボトル内に概して配置されている少なくとも１つのガス格納チャンバと、
内部表面を有するフェースマスクであって、ユーザは、該フェースマスクに口および鼻を装着する、フェースマスクと、
該少なくとも１つのガス格納チャンバを該フェースマスクの該内部表面に接続する接続チューブと、
該フェースマスクの該内部表面と該少なくとも１つのガス格納チャンバとの間に配置されているバルブであって、該ガスの流れは、調整される、バルブと、
該液体格納ボトルの外部表面に配置されている出口と、
該出口に取り外し可能なように接続されているキャップであって、該液体格納ボトルに格納されている液体は、漏出することができない、キャップと
を備えている、液体およびガスを格納する容器。
【請求項２】
前記液体は水である、請求項１に記載の液体およびガスを格納する容器。
【請求項３】
前記ガスは酸素である、請求項１に記載の液体およびガスを格納する容器。
【請求項４】
水格納ボトル内に概して配置されている少なくとも１つの酸素格納チャンバと、
内部表面を有するフェースマスクであって、ユーザは、該フェースマスクに口および鼻を装着する、フェースマスクと、
該少なくとも１つの酸素格納チャンバを該フェースマスクの該内部表面に接続する接続チューブと、
該フェースマスクの該内部表面と該少なくとも１つの酸素格納チャンバとの間に配置されているバルブであって、該酸素の流れは、調整される、バルブと、
該水格納ボトルの外部表面に配置されている出口と、
該出口に取り外し可能なように接続されているキャップであって、該水格納ボトルに格納されている水は、漏出することができない、キャップと
を備えている、水および酸素のボトル。
【請求項５】
前記フェースマスクは、可撓性のプラスチックから構成されている、請求項４に記載の水および酸素のボトル。
【請求項６】
前記バルブは、通常は閉められている、請求項４に記載の水および酸素のボトル。
【請求項７】
前記フェースマスクの前記内部表面は、前記バルブに動かすことができるように接続されている、請求項６に記載の水および酸素のボトル。
【請求項８】
前記フェースマスクが前記少なくとも１つの酸素格納チャンバに向けて変位させられるとき、前記バルブは開き、該少なくとも１つの酸素格納チャンバから酸素が流れることが可能になる、請求項７に記載の水および酸素のボトル。
【請求項９】
前記キャップは、スクリューキャップである、請求項４に記載の水および酸素のボトル。
【請求項１０】
前記フェースマスクは、取り外し可能である、請求項４に記載の水および酸素のボトル。
【請求項１１】
前記フェースマスクは、前記ユーザの顔および口の上にフィットするように輪郭が付けられている、請求項４に記載の水および酸素のボトル。
【請求項１２】
水格納ボトル内に概して配置されている少なくとも１つの酸素格納チャンバであって、該少なくとも１つの酸素格納チャンバは、その外部表面に配置された接続表面を有している、少なくとも１つの酸素チャンバと、
内部表面を有するフェースマスクであって、ユーザは、該フェースマスクに口および鼻を装着し、該取り外し可能なフェースマスクは、該内部表面に取り付けられたバルブを有しており、該バルブが、該接続表面に対して配置され、該接続表面に向けて押圧されるときに、該少なくとも１つの酸素格納チャンバから該フェースマスクへと酸素が流れることが可能になる、フェースマスクと、
該水格納ボトルの外部表面に配置されている出口と、
該出口に取り外し可能なように接続されているキャップであって、該水格納ボトルに格納されている水は、漏出することができない、キャップと
を備えている、水および酸素のボトル。
【請求項１３】
前記フェースマスクは、ゴムから構成されている、請求項１２に記載の水および酸素のボトル。
【請求項１４】
前記少なくとも１つの酸素格納チャンバの外部表面に配置された密閉可能な補充開口部をさらに備えており、該少なくとも１つの酸素格納チャンバは、使用後に再充填され得る、請求項１２に記載の水および酸素のボトル。
【発明の詳細な説明】
【技術分野】
【０００１】
（関連出願）
本出願は、２００５年７月２８日に出願された、米国特許出願第１１／１６１，２５１号の優先権を主張し、参考のために上記米国特許出願を本明細書に援用する。上記米国特許出願は、２００５年２月４日に出願された米国仮特許出願第６０／５９３，６７６号に対する優先権を主張する。
【背景技術】
【０００２】
（本発明の背景）
最近の数年において、ボトル詰めされた水は、ありふれたものになっている。ボトル詰めされた水は便利で純粋なので、公衆が水を購入したがっていることが示されている。ボトル詰めされた水は、比較的汚染物質を含まないとされており、冷却器、冷蔵庫等に配置され得、消費者が、過去のしばしば汚い噴水式の水飲み場に頼ることなく、ほぼどんな場所でも、冷たく清潔な水を飲むことを可能にする。このことは、伝統的に「無料」と考えられていた物の購入に向けて公衆の態度がシフトしていることを表している。
【０００３】
加えて、公害のために、例えば東京やサンフランシスコのような大都市に住んでいる人々のうちの一部の人々は、「酸素バー」において純粋な酸素を吸引し、消費者は、上記酸素バーにおいて、典型的には、分単位の料金で、しばしば香気と混合された酸素を吸入する。ユーザは、酸素を吸入した後に、彼らはリフレッシュされた感覚になり、爽快な気分になると言っている。酸素を生成するために用いられるシステムは、しばしば汚染物を生成し、一部の香気の追加は、危険なバクテリアをユーザの肺に導入することになるので、そのような酸素バーの使用に関連して、一部の深刻な健康問題が持ち上がってきた。さらに、消費者は、酸素を吸引することから利益を得るためには、バーを訪れなければならない。酸素バーを訪問することに関連する危険または不便を伴わない、純粋な酸素を入手することに関する安全性、純粋性、および利便性に対する需要が存在する。勿論、医者の処方箋を用いて吸入可能な酸素を入手することが可能であるが、これは、従来の吸入可能な酸素シリンダーを用いずに、単に純粋な酸素を便利に楽しく吸入することからの恩恵を所望している消費者の大部分にとっては、どのみち実際的ではない。加えて、医者は、気腫のような病気に対する処方箋を必要としている患者に対し、酸素に対する処方箋のみを与え得る。このことは、個人的な理由で純粋な酸素を吸引したいと所望している人の助けにはならない。
【発明の開示】
【発明が解決しようとする課題】
【０００４】
清潔な水および空気に対する需要を満たすために、一般の公衆に対して水および酸素を分配するための清潔、廉価、および安全な方法が必要とされている。
【課題を解決するための手段】
【０００５】
本発明のその他の特徴および利点は、本発明の以下の記述から明らかになり、その記載には、添付の図面が参照される。
【０００６】
（本発明の詳細な記述）
図１、図２、および図５を参照すると、ボトル（概して１００で示される）が示されており、バルブ１０２およびマスク１０４を有している。マスク１０４は、切抜き部１１２を有しており、上記切抜き部は、酸素を吸入するために用いられるときに、ユーザの鼻（図示されず）の上にフィットする。ボトル１００は、水ボトル１０６と共に、空気ボトル１１０（水ボトル１０６内に部分的に配置され、スリーブ１０８内に包含されている）から構成されている。スリーブ１０８は、水ボトル１０６と酸素ボトル１１０との両方を完全に包囲するか、あるいは上記ボトルを部分的にのみ包囲し得る。スリーブ１０８は、空気ボトル１１０を所定の場所に保持することを助け、ボトル１００に対して特別な構造的サポートを与える。スリーブ１０８は、当該技術分野において公知な、適切な断熱性材料から構成され、ボトル１００に対して断熱性を提供し、水を冷たいままに保つことを助ける。マスク１０４もまた、ボトル１００に対する保護カバーとして機能し、水ボトルキャップ２０６と酸素ノズル２０４との両方を隠している。酸素ノズル２０４は、バルブアセンブリ２０２を有しており、上記バルブアセンブリは、バルブ１０２がノズル２０４にフィットして押し下げられたときに酸素が流れることを可能にする。使用中、マスク１０４は、ボトル１００から取り外され、バルブ１０２は、ノズル２０４に配置される。このことは、マスク１０４をほぼ水平な方向に配置し、ユーザがマスク１０４を顔（図示されず）に対して快適に装着することを可能にし、バルブ１０２を押圧することにより、酸素が放たれ、ユーザが酸素を吸入することを可能にする。酸素は、バルブ１０２が開放されたときに、流れることを停止する。当該技術分野において公知な任意の適切なバルブ構造が機能し得る。通常閉じられているバルブ機能を提供するために、バイアススプリング（図示されず）が使用され得る。マスク１０４は、ノズル２０４から取り外され、その後の使用のために、ボトル１００をカバーするように用いられる。マスク１０４は、ユーザが水ボトルキャップ２０６を取り外し、水ボトル１０６から飲んでいる間に、あるいはユーザが飲んでいる間に一時的にマスク１０４を取り外し得る間に、所定の位置に居続ける。酸素ボトル１１０は、理想的には、構造的破損による思いがけない事象において上記酸素ボトルが安全なままであるようなレベルにまで加圧される。多くの材料が許容可能であり得るが、ＰＥＴ（ポリエチレンテレフタレン）プラスチックが、一般的に、この用途には最適である。なぜならば、ＰＥＴプラスチックは、透明かつ頑丈であり、ガスおよび湿気に対する良いバリアになるからである。ＰＥＴプラスチックはまた、非常に良い熱特性を有している。典型的なＰＥＴボトルは、１５０ｐｓｉまでの圧力に耐えるように設計されている。本発明は、１５０ｐｓｉをかなり下回る圧力の酸素を用いることにより、非常に信頼性のある安全マージンを提供する。典型的な２リットルの炭酸ソフトドリンクは、華氏４５度において約３５ｐｓｉで加圧される。
【０００７】
図３は、本発明の別の実施形態を示している。この実施形態において、ボトル３００はまた、水ボトル３０４と酸素ボトル３０６とを含んでいるが、内部のボトルは、垂直方向に直線的に配置されている。この実施形態において、酸素吸引マスク３１４は、ボトル３００の自然な土台を形成している。ボトル３００の上部は、水ボトル３０２であり、これは、飲むための水３０４を保持している。水３０４は、当該技術分野において一般的な、浄化された水、湧き出している水、微量元素を用いて強化された水、蒸留水、等であり得る。その他の実施形態において、その他の液体（例えば、ソーダ、茶、ミルクまたはその他の液体飲料）が、対応する上部ボトル部分３０２によって含まれ得る。ボトル３００の下部は、酸素ボトル３０６であり、上記酸素ボトルは、吸引に適切なように、加圧された酸素３２４を含んでいる。水ボトル３０２は、水３０４にアクセスするために用いられる従来のキャップ３２６を有している。ここでもまた、ＰＥＴプラスチックが、この実施形態に用いられる。スリーブ３２０は、水ボトル３０２の底部を過ぎて下方に延びており、空洞の空間を形成し、上記空洞の空間は、酸素ボトル３０６を保持している。マスク部分３１４は、対応するスリーブ３１８を有しており、上記対応するスリーブは、上部スリーブ３２０に圧力によってフィットしており、摩擦によるフィットを提供する一方で、２つのスリーブの間の運動を可能にする。
【０００８】
上述の実施形態と同様に、マスク３１４は、ノーズ切抜き部３１６を有しており、上記ノーズ切抜き部は、ユーザが顔（図示されず）に対してマスク３１４を快適に押さえ、酸素中で吸引することを可能にする。マスク３１４は、バルブ３１０によって酸素ボトル３０６に接続されている。バルブ３１０は、中央部分３２２を含んでおり、上記中央部分は、マスク３１４に接続している。スプリング３１２は、中央部分をバイアスし、Ｏ−リングまたは当該技術分野において公知なその他の密閉手段のような、シール３０８を閉める。使用中、ユーザは、キャップ３２６が締められていることを確認し、ボトル３００を反転させ、マスク３１４をやさしく押圧することにより、酸素３２４がマスク３１４に入ることを可能にする。ユーザがマスク３１４を水ボトル３０２に対して押圧することを停止すると、酸素３２４は、流れることを停止し、ユーザは、従来どおり、ボトル３００から自由に飲むことができる。
【０００９】
別の実施形態において、マスク３１４は、ヒンジを取り付けられた安全カバー（図示されず）を含んでおり、上記安全カバーは、マスク３１４の下部区域をカバーし、これにより、ボトル３００が清潔ではない表面上に設置されたときに、外部の物質は、マスク３１４を汚染し得ない。使用中、ユーザは、酸素を吸引するときに、ヒンジが取り付けられたカバー（図示されず）を単純に裏返して開くことができ、上記ボトルを表面上に再び設置する前に、ヒンジが取り付けられたカバーを閉めることができる。
【００１０】
図４を参照すると、ボトル４００が示されており、上記ボトルは、水ボトル４１４内の中央に配置された、２つの酸素球体４１２を有している。酸素球体４１２は、任意の適切な材料から作られるが、ここでもまた、ＰＥＴプラスチックが、この用途に対して特に良く適している。２つの球体４１２が示されているが、その他の実施形態、例えば、１つの球体、３つの球体、あるいは円筒状の酸素セル（図示されず）の放射状配置などもまた、可能であり得る。ボトル４００は、酸素を呼吸するためのマスク４０２を有している。ユーザは、マスク４０２に対して口および鼻を位置付け、押圧することにより、酸素の流れを開始させる。酸素は、スプリング４０６を用いてバイアスされたバルブ４２２を用いることにより、制御される。ステップが付けられたプランジャ４０８が提供されており、上記プランジャは、酸素の流れがマスク４０２に入る際に、酸素の流れを制御する。任意の適切なバルブ構造、例えば、当該技術分野において公知なニードルバルブまたはボールバルブが、酸素の流れを制御するために用いられ得る。バルブ４２２は、ＰＥＴプラスチックコーン４１０によって囲まれており、スレッドキャップ４０４にフィットするスレッド４２４を含んでいる。水ボトル４１４は、スレッドキャップ４１８を用いて固定された水出口４２０を含んでいる。
【００１１】
本発明は、本発明の特定の実施形態に関連して記述されてきたが、多くのその他のバリエーションおよび改変、ならびにその他の使用が、当業者に理解され得る。
【図面の簡単な説明】
【００１２】
【図１】図１は、本発明の実施形態の透視図を示している。
【図２】図２は、本発明の実施形態の部分断面図を示している。
【図３】図３は、本発明の別の実施形態の側面図を示している。
【図４】図４は、本発明の実施形態の透視断面図を示している。
【図５】図５は、本発明の特徴を描いている透視図を示している。
【図１】
2008529587.tif 000003
【図２】
2008529587.tif 000004
【図３】
2008529587.tif 000005
【図４】
2008529587.tif 000006
【図５】
2008529587.tif 000007
【手続補正書】
【提出日】平成19年10月4日(2007.10.4)
【手続補正１】
【補正対象書類名】図面
【補正対象項目名】全図
【補正方法】変更
【補正の内容】
【図１】
2008529587.tif 000008
【図２】
2008529587.tif 000009
【図３】
2008529587.tif 000010
【図４】
2008529587.tif 000011
【図５】
2008529587.tif 000012
【国際調査報告】
2008529587.tif 000013
2008529587.tif 000014